(57)【特許請求の範囲】
【請求項１】
空気を吸い込んで浴室内に吹き出す送風手段と、
前記送風手段から吹き出される空気を加熱する加熱手段と、
前記浴室内の温度を検出する温度検出手段と、
運転モードに応じて前記送風手段と前記加熱手段を制御する制御手段とを備え、
前記制御手段は、前記送風手段から吹き出される空気を前記加熱手段で加熱して、前記浴室に温風を吹き出す運転モードを開始すると、前記温度検出手段で検出される前記浴室の温度に応じて前記加熱手段を間欠駆動する温度検出間欠運転を実行し、
前記温度検出間欠運転による前記加熱手段の間欠駆動の実行回数が所定回数に到達すると、前記温度検出間欠運転を、予め設定された駆動時間及び停止時間に従って前記加熱手段を間欠駆動する時間設定間欠運転に切り替える
ことを特徴とする浴室空調装置。
【請求項２】
前記時間設定間欠運転による前記加熱手段の間欠駆動の間隔が、前記温度検出間欠運転による前記加熱手段の間欠駆動の間隔より長くなるように、前記駆動時間及び停止時間が設定される
ことを特徴とする請求項１記載の浴室空調装置。
【請求項３】
前記制御手段は、前記温度検出間欠運転を前記時間設定間欠運転に切り替えると、前記加熱手段の間欠駆動に連動させて前記送風手段を間欠駆動する第１の運転モードと、前記送風手段を連続駆動する第２の運転モードを、選択に応じて実行する
ことを特徴とする請求項１または２記載の浴室空調装置。
【請求項４】
前記第１の運転モードは、前記浴室を暖房する暖房運転モードであり、
前記第２の運転モードは、前記浴室内で被乾燥物を乾燥させる乾燥運転モードである
ことを特徴とする請求項３記載の浴室空調装置。
【請求項５】
前記制御手段は、前記温度検出間欠運転を前記時間設定間欠運転に切り替えると、前記温度検出手段で前記浴室の温度の変化を監視し、前記浴室の温度が所定値より低下すると、前記時間設定間欠運転を前記温度検出間欠運転に切り替える
ことを特徴とする請求項１，２，３または４記載の浴室空調装置。
【発明の詳細な説明】
【技術分野】
【０００１】
本発明は、浴室に設置される浴室空調装置に関する。詳しくは、浴室に温風を吹き出す運転モード時に、空気を加熱するヒータを間欠駆動すると共に、ヒータの間欠駆動を温度の変化による制御と時間による制御に切り替えることで、暖房運転時には浴室の必要以上の温度上昇を防ぎ、かつ、乾燥運転時には乾燥時間を短縮できるようにしたものである。
【背景技術】
【０００２】
従来より、浴室に温風を送出して暖房や洗濯物の乾燥を行う機能を備えた浴室用の空調装置が提供されている。浴室空調装置では、電気ヒータを風路中に配置し、ヒータを加熱することで送風を加温して、温風として送出する構成となっている。
【０００３】
このような浴室空調装置では、浴室内の温度を検出し、検出温度が所定温度以上になると、ヒータへの通電を停止し、検出温度が所定温度未満になると、ヒータへの通電を再開する安全装置が備えられている（例えば、特許文献１参照）。
【０００４】
【特許文献１】特開平７−１７１２９９号公報
【発明の開示】
【発明が解決しようとする課題】
【０００５】
浴室空調装置において、浴室内の温度を検出し、検出温度が所定温度以上になると、ヒータへの通電を停止する制御を行う場合、浴室内の温度が入浴に快適な温度等になるように、検出温度が設定される。
【０００６】
さて、近年、浴室空調装置の性能向上のため、ヒータの高出力化が図られている。しかし、このような高出力のヒータを備えた従来の浴室空調装置では、暖房運転時に、温度検出でヒータへの通電を停止する制御を行っても、浴室の温度が快適温度以上に上がってしまうという問題があった。
【０００７】
これに対して、乾燥運転時は、ヒータが停止している時間が長くなり、洗濯物に温風を当てる時間が短くなって、乾燥に要する時間が長くなるという問題があった。
【０００８】
本発明は、このような課題を解決するためになされたもので、暖房運転時は浴室内の必要以上の温度上昇を防ぎ、かつ、乾燥運転時は乾燥時間の短縮が可能な浴室空調装置を提供することを目的とする。
【課題を解決するための手段】
【００１１】
上述した課題を解決するため、本発明の浴室空調装置は、空気を吸い込んで浴室内に吹き出す送風手段と、送風手段から吹き出される空気を加熱する加熱手段と、浴室内の温度を検出する温度検出手段と、運転モードに応じて送風手段と加熱手段を制御する制御手段とを備え、制御手段は、送風手段から吹き出される空気を加熱手段で加熱して、浴室に温風を吹き出す運転モードを開始すると、温度検出手段で検出される浴室の温度に応じて加熱手段を間欠駆動する温度検出間欠運転を実行し、温度検出間欠運転による加熱手段の間欠駆動の実行回数が所定回数に到達すると、温度検出間欠運転を、予め設定された駆動時間及び停止時間に従って加熱手段を間欠駆動する時間設定間欠運転に切り替えることを特徴とする。
【００１２】
本発明の浴室空調装置では、暖房運転や乾燥運転等、浴室に温風を吹き出す運転モードを開始すると、まず、浴室の温度に応じて加熱手段を間欠駆動する温度検出間欠運転が実行される。
【００１３】
温度検出間欠運転では、浴室の温度が所定の上限温度になると、加熱手段による空気の加熱を停止し、浴室の温度が所定の下限温度になると、加熱手段による空気の加熱を再開する。
【００１４】
温度検出間欠運転による加熱手段の間欠駆動の実行回数が所定回数に到達すると、温度検出間欠運転が、予め設定された駆動時間及び停止時間に従って加熱手段を間欠駆動する時間設定間欠運転に切り替えられる。
【００１５】
時間設定間欠運転では、予め設定された駆動時間は加熱手段による空気の加熱を行い、予め設定された停止時間は加熱手段による空気の加熱を停止する制御が繰り返される。
【発明の効果】
【００１６】
本発明の浴室空調装置によれば、温風の吹き出しを断続的に行う際に、温風の吹き出しと吹き出しを停止する間隔を、細かく制御できるので、暖房運転時は浴室内の必要以上の温度上昇を防ぐことができる。また、乾燥運転時は温風の吹き出す時間が短くなることを防いで、乾燥時間を短縮することができる。
【００１７】
更に、加熱手段の間欠駆動の回数を抑制して、耐久性を向上させることができる。
【発明を実施するための最良の形態】
【００１８】
以下、図面を参照して本発明の浴室空調装置の実施の形態について説明する。
【００１９】
＜第１の実施の形態の浴室空調装置の構成例＞
図１〜図３は本実施の形態の浴室空調装置の一例を示す構成図で、図１は本実施の形態の浴室空調装置１Ａの内部構成を示す断面図、図２はフロントパネルを取り外した状態の浴室空調装置１Ａの下面側から見た平面図、図３は浴室空調装置１Ａの分解斜視図である。なお、図１（ａ）は、浴室空調装置１Ａを図２におけるＡ−Ａ線で切断した断面図、図１（ｂ）は、浴室空調装置１Ａを図２のＢ−Ｂ線で切断した断面図である。
【００２０】
本実施の形態の浴室空調装置１Ａは、空気を循環させる循環ファン部２と、空気を排気する換気ファン部３を備える。循環ファン部２は送風手段の一例で、回転軸の向きを鉛直方向とした多翼の羽根車４と、羽根車４を回転駆動する循環ファンモータ５と、風路を形成する循環ファンケース６を備える。
【００２１】
循環ファンケース６は、羽根車４の軸方向に沿った下面が開口して循環ファン吸込口７が形成される。また、循環ファンケース６は、羽根車４の接線方向に沿って吹出風路８が形成され、吹出風路８と連通した下面が開口して循環ファン吹出口９が形成される。
【００２２】
浴室空調装置１Ａは、循環ファン部２にヒータ１０を備える。ヒータ１０は加熱手段の一例で、循環ファン吹出口９の近傍の吹出風路８に備えられる。
【００２３】
ヒータ１０は、例えばＰＴＣヒータが用いられ、棒状のヒータ部材に長手方向に沿って多数のフィンが取り付けられた構成で、吹出風路８を通る空気が、ヒータ１０の放熱フィンの間を通過するように、吹出風路８中に取り付けられる。
【００２４】
これにより、ヒータ１０に通電されると、吹出風路８を通る空気がヒータ１０によって加熱されて、循環ファン吹出口９から温風が吹き出す。
【００２５】
換気ファン部３は、回転軸の向きを鉛直方向とした多翼の羽根車１１と、羽根車１１を回転駆動する換気ファンモータ１２と、風路を形成する換気ファンケース１３を備える。
【００２６】
換気ファンケース１３は、羽根車１１の軸方向に沿った下面が開口して換気ファン吸込口１４が形成される。また、換気ファンケース１３は、羽根車１１の接線方向に沿って排気風路１５が形成され、排気風路１５と連通した一の側面が開口して排気口１６が形成される。
【００２７】
浴室空調装置１Ａは、循環ファン部２と換気ファン部３を収容する本体ケース１７を備える。本体ケース１７は、鉄等の金属で構成され、循環ファン部２の上側に換気ファン部３が重なる形態で、循環ファン部２と換気ファン部３が取り付けられる。
【００２８】
浴室空調装置１Ａは、本体ケース１７の一の側面に、排気ファン３の排気口１６と連通した排気ダクトジョイント１８ａが取り付けられる。
【００２９】
また、浴室空調装置１Ａは、排気口１６の形成面以外の本体ケース１７の他の側面に副吸込口１７ａが形成され、副吸込口１７ａに副吸込ダクトジョイント１８ｂが取り付けられる。
【００３０】
更に、浴室空調装置１Ａは、本体ケース１７内で循環ファン部２の上側に、循環ファン部２の吹出風路８とは独立して、副吸込口１７ａと換気ファン吸込口１４を連通させた副吸込風路１９が形成される。
【００３１】
浴室空調装置１Ａは、換気ファン部３の下側に換気吸込風路形成部材２０が取り付けられる。換気吸込風路形成部材２０は、本体ケース１７の下面側に開口を有して換気吸込口２０ａを形成すると共に、換気吸込口２０ａと換気ファン吸込口１４を連通させた換気吸込風路２０ｂを形成する。
【００３２】
浴室空調装置１Ａは、循環ファン吸込口７に温度センサ２１を備える。温度センサ２１は温度検出手段の一例で、循環ファン吸込口７から循環ファン部２に吸い込まれる空気の温度を計測する。よって、温度センサ２１の計測結果から、浴室空調装置１Ａが設置された浴室の温度が検出される。
【００３３】
浴室空調装置１Ａは、本体ケース１７の下面にフロントパネル２２を備える。フロントパネル２２は、本体ケース１７に対して着脱できるように構成され、循環ファン部２の循環ファン吸込口７及び換気ファン部３と連通した換気吸込口２０ａと対向して吸込口グリル２２ａが形成される。また、フロントパネル２２は、循環ファン部２の循環ファン吹出口９と対向して吹出口グリル２２ｂが形成される。
【００３４】
＜浴室空調装置の設置例＞
図４は浴室空調装置１Ａの設置例を示す浴室の構成図である。浴室空調装置１Ａは、浴室３１の天井に設置される。浴室３１の天井パネルには、図１等で説明した浴室空調装置１Ａの本体ケース１７が入る開口部が形成され、浴室空調装置１Ａは、フロントパネル２２が露出するようにして、天井裏から吊り下げる形態、あるいは天井パネルに固定する形態等で取り付けられる。
【００３５】
浴室３１の天井に取り付けられた浴室空調装置１Ａは、排気ダクトジョイント１８ａに排気ダクト３２が接続される。排気ダクト３２は、図示しない建物の外壁３３に取り付けた屋外グリル３４に接続され、浴室空調装置１Ａで浴室３１等から吸い込んだ空気を、排気ダクト３２を介して屋外に排気できる構成となっている。
【００３６】
また、浴室空調装置１Ａは、副吸込口１７ａに取り付けられた副吸込ダクトジョイント１８ｂに副吸込ダクト３５が接続され、副吸込ダクト３５は、例えば洗面所３６に設置された副吸込口３７に接続されて、洗面所３６の空気を吸い込める構成となっている。
【００３７】
浴室空調装置１Ａは、洗濯物等の被乾燥物を乾燥させる機能も備えるので、浴室３１には洗濯物等を掛けるランドリパイプ３８を備える。ここで、浴室空調装置１Ａの図１等に示す吹出口グリル２２ｂから吹き出す空気が、浴槽３１ａから出て洗い場３１ｂに居る入浴者に直接当たると、寒さを感じることがある。このため、吹き出し方向がランドリパイプ３８側に向くように設定される。
【００３８】
浴室３１の入口には浴室ドア３９を備える。浴室ドア３９は空気取入口（ガラリ）３９ａを備え、浴室３１に隣接した洗面所３６等の空気を浴室３１内に取り込めるようになっている。
【００３９】
＜浴室空調装置の制御機能例＞
図５は浴室空調装置１Ａの制御系の一例を示す機能ブロック図である。浴室空調装置１Ａは、ＣＰＵやメモリ等で構成される制御部５１に、操作部５２と、図１〜図３で説明した循環ファンモータ５と、換気ファンモータ１２と、ヒータ１０と、温度センサ２１等が接続される。
【００４０】
制御部５１は制御手段の一例で、図示しないメモリ等に格納されたプログラムに従って、例えば暖房運転モード、換気運転モード、乾燥運転モード及び涼風運転モードを実行する。これら運転モードは、入浴者等の利用者が操作部５２を操作すること等により選択され、制御部５１は、選択された運転モードを実行するプログラムと、温度センサ２１で検出した図４に示す浴室２１内の温度に従い、循環ファンモータ５、換気ファンモータ１２及びヒータ１０等を制御する。
【００４１】
操作部５２は、浴室空調装置１Ａと独立したリモートコントロール装置で、例えば浴室３１に隣接した洗面所３６の壁面等に取り付けられ、制御部５１とは例えば電気ケーブルで接続される。
【００４２】
図６は操作部５２の一例を示す構成図である。操作部５２は、表示部５３と、各種操作ボタン等を備える。操作部５２は、操作ボタンとして、暖房運転モードを選択する暖房ボタン５４と、乾燥運転モードを選択する乾燥ボタン５５と、換気運転モードを選択する換気ボタン５６と、涼風運転モードを選択する涼風モードボタン５７を備える。なお、選択された運転モードを視認させるため、各ボタンに対応してランプ５８を備えても良い。
【００４３】
＜本実施の形態の浴室空調装置の暖房運転動作例＞
図７は暖房運転モードの動作例を示すフローチャートで、次に、浴室空調装置１Ａの暖房運転モード実行時の動作例について各図を参照して説明する。
【００４４】
ステップＳＡ１：図６に示す操作部５２で暖房ボタン５４が押されると、制御部５１は暖房運転モードが選択されたと判断し、循環ファンモータ５を駆動して、循環ファン部２の羽根車４を回転駆動すると共に、ヒータ１０に通電する。
【００４５】
循環ファン部２の羽根車４が回転すると、フロントパネル２２の吸込口グリル２２ａから、循環ファン部２の循環ファン吸込口７へ浴室３１内の空気が吸い込まれる。
【００４６】
循環ファン吸込口７から吸い込まれた空気は、吹出風路８によって循環ファン吹出口９へと流れる。そして、ヒータ１０が通電されると、吹出風路８を通る空気が加熱され、フロントパネル２２の吹出口グリル２２ｂから、浴室３１内へ温風が吹き出す。
【００４７】
ステップＳＡ２：制御部５１は、暖房運転モードを開始すると、温度センサ２１で検出される浴室３１の温度に応じてヒータ１０を間欠駆動する温度検出間欠運転を実行する。
【００４８】
すなわち、温度検出間欠運転では、制御部５１は、温度センサ２１の出力を監視し、温度センサ２１で検出される浴室３１の温度が、所定の上限温度に到達したか判断する。
【００４９】
温度センサ２１は、図１に示すように、循環ファン部２のファン吸込口７に備えられており、ファン吸込口７から吸い込まれる空気の温度を測定している。よって、温度センサ２１の出力を監視することで、浴室３１の温度が検出される。
【００５０】
ステップＳＡ３：制御部５１は、温度センサ２１で検出される浴室３１の温度が、所定の上限温度に到達したと判断すると、ヒータ１０への通電を停止する。なお、循環ファンモータ５は継続して駆動する。
【００５１】
ステップＳＡ４：制御部５１は、温度検出間欠運転でヒータ１０への通電を停止すると、温度センサ２１で検出される浴室３１の温度が、所定の下限温度に到達したか判断する。
【００５２】
すなわち、温度センサ２１で検出される浴室３１の温度が、所定の上限温度に到達してヒータ１０への通電を停止すると、浴室空調装置１Ａからは、浴室３１の温度に応じた送風が吹き出すことになり、浴室３１内の温度は低下する。
【００５３】
ステップＳＡ５：制御部５１は、温度センサ２１で検出される浴室３１の温度が、所定の下限温度に到達したと判断すると、ヒータ１０への通電を開始する。
【００５４】
ステップＳＡ６：制御部５１は、温度検出間欠運転によるヒータ１０の間欠駆動の実行回数が、所定回数に到達したか判断する。
【００５５】
ステップＳＡ７：制御部５１は、温度検出間欠運転によるヒータ１０の間欠駆動の実行回数が、所定回数、本例では例えば３回に到達したと判断すると、予め設定された駆動時間及び停止時間に従ってヒータ１０を間欠駆動する時間設定間欠運転に切り替える。
【００５６】
すなわち、温度検出間欠運転から時間設定間欠運転に切り替えると、所定の駆動時間、本例では、第１所定時間として例えば３分間はヒータ１０に通電する。
【００５７】
ステップＳＡ８：制御部５１は、時間設定間欠運転でヒータ１０への通電時間が所定の駆動時間に到達すると、所定の停止時間、本例では、第２所定時間として例えば１分間はヒータ１０への通電を停止する。また、暖房運転モード実行中は、時間設定間欠運転でヒータ１０への通電を停止すると、ヒータ１０の停止時間に連動させて循環ファンモータ５の駆動を停止する。
【００５８】
すなわち、暖房運転モード実行中に、ヒータ１０への通電を停止すると、浴室空調装置１Ａからは、浴室３１の温度に応じた送風が吹き出すことになり、浴室３１内の温度は低下する。このため、時間設定間欠運転では、ヒータ１０への通電の停止に連動させて、循環ファンモータ５の駆動を停止して、浴室３１内の温度が一定となるように制御する。
【００５９】
ステップＳＡ９：制御部５１は、時間設定間欠運転でヒータ１０への通電を停止すると、ヒータ１０の停止時間中は、温度センサ２１の出力を監視し、温度センサ２１で検出される浴室３１の温度が、時間設定間欠運転を停止する所定の下限温度に到達したか判断する。
【００６０】
そして、ヒータ１０の停止時間中に、浴室３１の温度が時間設定間欠運転を停止する所定の下限温度に到達した場合は、上述したステップＳＡ１に戻り、温度検出間欠運転に切り替える。
【００６１】
すなわち、暖房運転モード実行中に、図４に示す浴室ドア３９が開けられると、暖房されていない洗面所３６の空気が入り込んで浴室３１の温度が急激に低下する。ステップＳＡ９では、このような浴室３１の急激な温度低下を検出した場合は、時間設定間欠運転から温度検出間欠運転に切り替えることで、低下した浴室３１の温度を短時間で戻せるようにしている。
【００６２】
ステップＳＡ１０：制御部５１は、時間設定間欠運転中に温度センサ２１の出力を監視し、温度センサ２１で検出される浴室３１の温度が、所定の上限温度に到達したか判断する。そして、温度センサ２１による検出温度が所定の上限温度に到達していなければ、上述したステップＳＡ７に戻り、時間設定間欠運転を継続する。
【００６３】
ステップＳＡ１１：制御部５１は、ステップＳＡ１０の判断で時間設定間欠運転中に温度センサ２１による検出温度が所定の上限温度に到達したと判断すると、時間設定間欠運転で設定されている所定の停止時間によらず、ヒータ１０への通電停止及び循環ファンモータ５の駆動停止を継続する。
【００６４】
ステップＳＡ１２：制御部５１は、ステップＳＡ１０の判断で時間設定間欠運転中に検出温度が所定の上限温度に到達し、ヒータ１０への通電停止及び循環ファンモータ５の駆動停止を継続すると、温度センサ２１の出力を監視し、検出温度が所定の下限温度に到達したか判断する。そして、温度センサ２１による検出温度が所定の下限温度に到達すると、上述したステップＳＡ７に戻り、時間設定間欠運転を継続する。
【００６５】
以上の制御によって、時間設定間欠運転中でも、浴室３１の温度が所定の上限温度に到達した場合は、浴室３１の温度が所定の下限温度に下がるまではヒータ１０への通電を行わないようになっている。
【００６６】
なお、暖房運転は、暖房ボタン５４を再度押すか、タイマ検知で所定時間経過後に停止するようになっている。
【００６７】
以上説明した暖房運転モードでは、温度設定間欠運転時にヒータ１０への通電を停止する上限温度を例えば４０℃に設定し、ヒータ１０への通電を開始する下限温度を例えば３８℃に設定している。
【００６８】
上述した温度設定で温度設定間欠運転を実行すると、浴室３１内の温度は３５℃前後となり、必要以上の温度上昇が抑えられて、入浴に快適な温度となる。但し、ヒータ１０の通電、非通電の切り替えにはリレーを用いているが、暖房運転モードの実行中に、上述した温度設定で常時温度設定間欠運転を実行すると、リレーをＯＮ−ＯＦＦする回数が、浴室空調装置全体の保証期間内に耐久回数を超えてしまう可能性がある。
【００６９】
そこで、温度検出間欠運転によるヒータ１０の間欠駆動の実行回数が、所定回数に到達すると、時間設定間欠運転に切り替える。ここで、時間設定間欠運転によるヒータ１０の間欠駆動の間隔が、温度検出間欠運転によるヒータ１０の間欠駆動の間隔より長くなるように、時間設定間欠運転時のヒータ１０の駆動時間及び停止時間が設定される。
【００７０】
これにより、ヒータ１０の通電、非通電を切り替えるリレーをＯＮ−ＯＦＦする回数が、浴室空調装置全体の保証期間内に耐久回数を超えることが抑えられ、かつ、浴室３１内の温度を、入浴に適した温度で保持できる。
【００７１】
また、時間設定間欠運転では、温風の供給が断続的になることで、温風の非供給時は、浴室３１の上方の温度上昇が抑えられ、浴室３１の上方と下方の間で空気が攪拌される。これにより、浴室３１の下方の温度が上昇して、温度の均一化を図ることができ、浴室３１内の温度を所望の温度で均一化できる。
【００７２】
＜本実施の形態の浴室空調装置の乾燥運転動作例＞
図８は乾燥運転モードの動作例を示すフローチャートで、次に、浴室空調装置１Ａの乾燥運転モード実行時の動作例について各図を参照して説明する。
【００７３】
ステップＳＢ１：図６に示す操作部５２で乾燥ボタン５５が押されると、制御部５１は乾燥運転モードが選択されたと判断し、循環ファンモータ５を駆動して、循環ファン部２の羽根車４を回転駆動すると共に、ヒータ１０に通電する。また、換気ファンモータ１２を駆動して、換気ファン部３の羽根車１１を回転駆動する。
【００７４】
循環ファン部２の羽根車４が回転すると、フロントパネル２２の吸込口グリル２２ａから、循環ファン部２の循環ファン吸込口７へ浴室３１内の空気が吸い込まれる。
【００７５】
循環ファン吸込口７から吸い込まれた空気は、吹出風路８によって循環ファン吹出口９へと流れる。そして、ヒータ１０が通電されると、吹出風路８を通る空気が加熱され、フロントパネル２２の吹出口グリル２２ｂから、浴室３１内へ温風が吹き出す。これにより、ランドリパイプ３８に掛けられた洗濯物に温風を当てて、洗濯物を乾燥させる。
【００７６】
また、換気ファン部３の羽根車１１が回転すると、フロントパネル２２の吸込口グリル２２ａから、換気風路形成部材２０によって形成された換気吸込風路２０ｂを介して、換気ファン部３の換気ファン吸込口１４へ浴室３１内の空気が吸い込まれる。
【００７７】
換気ファン吸込口１４から吸い込まれた空気は、排気風路１５によって排気口１６へと流れる。そして、排気ダクトジョイント１８ａに接続された排気ダクト３２から、屋外グリル３４を介して屋外へ排気される。
【００７８】
なお、浴室空調装置１Ａで浴室３１の空気が吸い込まれると、浴室ドア３９の空気取入口３９ａから洗面所３６の空気が浴室３１に取り込まれる。また、副吸込口３７から副吸込ダクト３５を介して、洗面所３６の空気が換気ファン部３に吸い込まれ、屋外へ排気される。ここで、副吸込ダクトジョイント１８ｂに図示しないダンパを備えて、洗面所３６からの空気の吸い込みを停止できるようにしても良い。
【００７９】
ステップＳＢ２：制御部５１は、乾燥運転モードを開始すると、温度センサ２１で検出される浴室３１の温度に応じてヒータ１０を間欠駆動する温度検出間欠運転を実行する。
【００８０】
すなわち、温度検出間欠運転では、制御部５１は、温度センサ２１の出力を監視し、温度センサ２１で検出される浴室３１の温度が、所定の上限温度に到達したか判断する。
【００８１】
ステップＳＢ３：制御部５１は、温度センサ２１で検出される浴室３１の温度が、所定の上限温度に到達したと判断すると、ヒータ１０への通電を停止する。なお、循環ファンモータ５は継続して駆動する。
【００８２】
ステップＳＢ４：制御部５１は、温度検出間欠運転でヒータ１０への通電を停止すると、温度センサ２１で検出される浴室３１の温度が、所定の下限温度に到達したか判断する。
【００８３】
ステップＳＢ５：制御部５１は、温度センサ２１で検出される浴室３１の温度が、所定の下限温度に到達したと判断すると、ヒータ１０への通電を開始する。
【００８４】
ステップＳＢ６：制御部５１は、温度検出間欠運転によるヒータ１０の間欠駆動の実行回数が、所定回数に到達したか判断する。
【００８５】
ステップＳＢ７：制御部５１は、温度検出間欠運転によるヒータ１０の間欠駆動の実行回数が、所定回数、本例では例えば３回に到達したと判断すると、予め設定された駆動時間及び停止時間に従ってヒータ１０を間欠駆動する時間設定間欠運転に切り替える。
【００８６】
すなわち、温度検出間欠運転から時間設定間欠運転に切り替えると、所定の駆動時間、本例では、第１所定時間として例えば３分間はヒータ１０に通電する。
【００８７】
ステップＳＢ８：制御部５１は、時間設定間欠運転でヒータ１０への通電時間が所定の駆動時間に到達すると、所定の停止時間、本例では、第２所定時間として例えば１分間はヒータ１０への通電を停止する。また、乾燥運転モード実行中は、循環ファンモータ５の駆動は、時間設定間欠運転でのヒータ１０の間欠駆動とは連動させず、循環ファンモータ５を連続駆動する。
【００８８】
すなわち、乾燥運転モード実行中は、ヒータ１０への通電を停止している間も、浴室空調装置１Ａから浴室３１の温度に応じた送風を吹き出すことで、ランドリパイプ３８に掛けられた洗濯物に風を当てて、乾燥を促進する。
【００８９】
ステップＳＢ９：制御部５１は、時間設定間欠運転でヒータ１０への通電を停止すると、ヒータ１０の停止時間中は、温度センサ２１の出力を監視し、温度センサ２１で検出される浴室３１の温度が、時間設定間欠運転を停止する所定の下限温度に到達したか判断する。
【００９０】
そして、ヒータ１０の停止時間中に、浴室３１の温度が時間設定間欠運転を停止する所定の下限温度に到達した場合は、上述したステップＳＢ１に戻り、温度検出間欠運転に切り替える。
【００９１】
すなわち、乾燥運転モード実行中でも、浴室ドア３９が開けられると、浴室３１の温度が急激に低下する。ステップＳＢ９では、このような浴室３１の急激な温度低下を検出した場合は、時間設定間欠運転から温度検出間欠運転に切り替えることで、低下した浴室３１の温度を短時間で戻せるようにしている。
【００９２】
ステップＳＢ１０：制御部５１は、時間設定間欠運転中に温度センサ２１の出力を監視し、温度センサ２１で検出される浴室３１の温度が、所定の上限温度に到達したか判断する。そして、温度センサ２１による検出温度が所定の上限温度に到達していなければ、上述したステップＳＢ７に戻り、時間設定間欠運転を継続する。
【００９３】
ステップＳＢ１１：制御部５１は、ステップＳＢ１０の判断で時間設定間欠運転中に温度センサ２１による検出温度が所定の上限温度に到達したと判断すると、時間設定間欠運転で設定されている所定の停止時間によらず、ヒータ１０への通電停止を継続する。
【００９４】
ステップＳＢ１２：制御部５１は、ステップＳＢ１０の判断で時間設定間欠運転中に検出温度が所定の上限温度に到達し、ヒータ１０への通電停止を継続すると、温度センサ２１の出力を監視し、検出温度が所定の下限温度に到達したか判断する。そして、温度センサ２１による検出温度が所定の下限温度に到達すると、上述したステップＳＢ７に戻り、時間設定間欠運転を継続する。
【００９５】
以上の制御によって、時間設定間欠運転中でも、浴室３１の温度が所定の上限温度に到達した場合は、浴室３１の温度が所定の下限温度に下がるまではヒータ１０への通電を行わないようになっている。
【００９６】
なお、乾燥運転は、乾燥ボタン５５を再度押すか、タイマ検知で所定時間経過後に停止するようになっている。
【００９７】
以上説明した乾燥運転モードでも、温度設定間欠運転時にヒータ１０への通電を停止する上限温度を例えば４０℃に設定し、ヒータ１０への通電を開始する下限温度を例えば３８℃に設定すると、浴室３１内の温度は３５℃前後となる。
【００９８】
従来より、浴室３１の温度が必要以上に上昇しないように、温度センサ２１で浴室３１の温度を監視しており、例えば、検出温度が５０℃を超えると、ヒータ１０への通電を停止するようにしていた。
【００９９】
しかし、浴室３１が狭い場合で、浴室空調装置１Ａで使用する電源電圧が例えば２００Ｖ等でヒータ１０が高出力の場合は、浴室３１の温度が短時間で上昇し、温度センサ２１での検出温度が５０℃に到達してしまう。温度センサ２１での検出温度が５０℃に到達すると、ヒータ１０への通電が停止されるが、ヒータ１０が高出力で浴室３１が狭い場合等は、浴室３１の温度が下がらず、ヒータ１０の停止時間が長くなって、温風を洗濯物に当てることができなくなり、乾燥時間が長くなる。
【０１００】
これに対して、上述した温度設定で温度設定間欠運転を実行すると、必要以上の温度上昇が抑えられて、ヒータ１０の停止時間が短くなり、温風を洗濯物に当てる時間が十分なものとなり、乾燥時間が短くなる。
【０１０１】
但し、上述した温度設定で常時温度設定間欠運転を実行すると、リレーをＯＮ−ＯＦＦする回数が、浴室空調装置全体の保証期間内に耐久回数を超えてしまう可能性がある。
【０１０２】
そこで、乾燥運転モードでも、温度検出間欠運転によるヒータ１０の間欠駆動の実行回数が、所定回数に到達すると、時間設定間欠運転に切り替えることで、ヒータ１０の通電、非通電を切り替えるリレーをＯＮ−ＯＦＦする回数が、浴室空調装置全体の保証期間内に耐久回数を超えることが抑えられる。
【０１０３】
＜本実施の形態の浴室空調装置の他の運転モードの動作例＞
次に、浴室空調装置１Ａの他の運転モードの動作例について各図を参照して説明する。図６に示す操作部５２で換気ボタン５６が押されると、制御部５１は換気運転モードが選択されたと判断して、換気ファンモータ１２を駆動する。
【０１０４】
換気ファンモータ１２が駆動されると、換気ファン部３の羽根車１１が回転することで、フロントパネル２２の吸込口グリル２２ａから、換気ファン吸込口１４へ浴室３１内の空気が吸い込まれる。
【０１０５】
換気ファン吸込口１４から吸い込まれた空気は、排気風路１５によって排気口１６へと流れる。そして、排気ダクトジョイント１８ａに接続された排気ダクト３２から、屋外グリル３４を介して屋外へ排気される。
【０１０６】
なお、浴室空調装置１Ａで浴室３１の空気が吸い込まれると、浴室ドア３９の空気取入口３９ａから洗面所３６の空気が浴室３１に取り込まれる。また、副吸込口３７から副吸込ダクト３５を介して、洗面所３６の空気が換気ファン部３に吸い込まれ、屋外へ排気される。ここで、副吸込ダクトジョイント１８ｂに図示しないダンパを備えて、洗面所３６からの空気の吸い込みを停止できるようにしても良い。
【０１０７】
これにより、換気運転モードを実行することで、浴室３１内の湯気や湿気を排出して結露等を抑制し、カビの発生を抑えることができる。
【０１０８】
図６に示す操作部５２で涼風ボタン５７が押されると、制御部５１は涼風運転モードが選択されたと判断して、循環ファンモータ５と換気ファンモータ１２を駆動する。なお、涼風運転モードでは、ヒータ１０には通電しない。
【０１０９】
循環ファンモータ５が駆動されると、循環ファン部２の羽根車４が回転することで、フロントパネル２２の吸込口グリル２２ａから、循環ファン吸込口７へ浴室３１内の空気が吸い込まれる。
【０１１０】
循環ファン吸込口７から吸い込まれた空気は、吹出風路８によって循環ファン吹出口９へと流れる。涼風運転モードでは、ヒータ１０に通電されていないので、フロントパネル２２の吹出口グリル２２ｂから、浴室３１内の温度に応じた風（涼風）が吹き出す。
【０１１１】
また、換気ファンモータ１２が駆動されると、換気ファン部３の羽根車１１が回転することで、フロントパネル２２の吸込口グリル２２ａから、換気ファン吸込口１４へ浴室３１内の空気が吸い込まれる。
【０１１２】
換気ファン吸込口１４から吸い込まれた空気は、排気風路１５によって排気口１６へと流れる。そして、排気ダクトジョイント１８ａに接続された排気ダクト３２から、屋外グリル３４を介して屋外へ排気される。
【０１１３】
なお、浴室空調装置１Ａで浴室３１の空気が吸い込まれると、浴室ドア３９の空気取入口３９ａから洗面所３６の空気が浴室３１に取り込まれる。また、副吸込口３７から副吸込ダクト３５を介して、洗面所３６の空気が換気ファン部３に吸い込まれ、屋外へ排気される。ここで、副吸込ダクトジョイント１８ｂに図示しないダンパを備えて、洗面所３６からの空気の吸い込みを停止できるようにしても良い。
【０１１４】
これにより、涼風運転モードを実行することで、浴室３１内の空気を換気しながら、浴室３１内に涼風が吹き出され、浴室空調装置１Ａを夏季等に扇風機として使用することができる。
【０１１５】
ここで、涼風運転モードでは、換気ファン部３は駆動せずに、浴室３１内の空気を循環させながら涼風を吹き出すこととしても良い。
【０１１６】
なお、以上説明した浴室空調装置１Ａは、循環ファン部２と換気ファン部３を独立して備えた構成を例に説明したが、単一のファンと、換気と循環で風路を切り替えるダンパを備えた構成の浴室空調装置にも、本発明は適用できる。
【産業上の利用可能性】
【０１１７】
本発明は、浴室に設置され、浴室を暖房する機能や洗濯物等の被乾燥物を乾燥させる機能を有する浴室空調装置に適用される。
【図面の簡単な説明】
【０１１８】
【図１】本実施の形態の浴室空調装置の一例を示す構成図である。
【図２】本実施の形態の浴室空調装置の一例を示す構成図である。
【図３】本実施の形態の浴室空調装置の一例を示す構成図である。
【図４】浴室空調装置の設置例を示す浴室の構成図である。
【図５】浴室空調装置の制御系の一例を示す機能ブロック図である。
【図６】操作部の一例を示す構成図である。
【図７】暖房運転モードの動作例を示すフローチャートである。
【図８】乾燥運転モードの動作例を示すフローチャートである。
【符号の説明】
【０１１９】
１Ａ・・・浴室空調装置、２・・・循環ファン部、３・・・換気ファン部、４・・・羽根車、５・・・循環ファンモータ、６・・・循環ファンケース、７・・・循環ファン吸込口、８・・・吹出風路、９・・・循環ファン吹出口、１０・・・ヒータ、１１・・・羽根車、１２・・・換気ファンモータ、１３・・・換気ファンケース、１４・・・換気ファン吸込口、１５・・・排気風路、１６・・・排気口、１７・・・本体ケース、１７ａ・・・副吸込口、１８ａ・・・排気ダクトジョイント、１８ｂ・・・副吸込ダクトジョイント、１９・・・副吸込風路、２０・・・換気風路形成部材、２０ａ・・・換気吸込口、２０ｂ・・・換気吸込風路、２１・・・温度センサ、２２・・・フロントパネル、２２ａ・・・吸込口グリル、２２ｂ・・・吹出口グリル、３１・・・浴室、３２・・・排気ダクト、３４・・・屋外グリル、３５・・・副吸込ダクト、３６・・・洗面所、３７・・・副吸込口、３８・・・ランドリパイプ、３９・・・浴室ドア、５１・・・制御部、５２・・・操作部
【図１】
0004706386.tif 000002
【図２】
0004706386.tif 000003
【図３】
0004706386.tif 000004
【図４】
0004706386.tif 000005
【図５】
0004706386.tif 000006
【図６】
0004706386.tif 000007
【図７】
0004706386.tif 000008
【図８】
0004706386.tif 000009